(57)【要約】【解決手段】ホスフィンを含有するパラジウム化合物とホスファイト化合物との存在下に、２−ノルボルネンとトリクロロシランとを反応させることを特徴とする２−トリクロロシリルノルボルナンの製造方法。【効果】本発明によれば、ホスフィンを含有するパラジウム化合物にホスファイト化合物を添加した触媒を用いて、２−ノルボルネンとトリクロロシランを反応させることにより、従来の触媒に比較して、副生物の生成を抑えて反応させることができ、高収率で２−トリクロロシリルノルボルナンが得られるものである。【選択図】なし【特許請求の範囲】
【請求項１】
ホスフィンを含有するパラジウム化合物とホスファイト化合物との存在下に、２−ノルボルネンとトリクロロシランとを反応させることを特徴とする２−トリクロロシリルノルボルナンの製造方法。
【請求項２】
前記ホスファイト化合物が、下記一般式（１）
Ｐ（ＯＲ1）（ＯＲ2）（ＯＲ3）          （１）
（式中、Ｒ1、Ｒ2、Ｒ3は、同一又は異なる炭素数１〜１０の非置換又は置換一価炭化水素基を示す。）
で表される化合物である請求項１記載の２−トリクロロシリルノルボルナンの製造方法。
【請求項３】
前記ホスフィンが、芳香族基を有するホスフィンであることを特徴とする請求項１又は２記載の２−トリクロロシリルノルボルナンの製造方法。
【発明の詳細な説明】
【技術分野】
【０００１】
本発明は、２−ノルボルネンとトリクロロシランを、ホスフィンを含有するパラジウム化合物にホスファイト化合物を添加した触媒を用いて反応させることによる２−トリクロロシリルノルボルナンの製造方法に関する。
【背景技術】
【０００２】
２−トリクロロシリルノルボルナンは、塗料や接着剤等の各種シリコーン化合物の合成原料、有機合成中間体原料として有用な化合物である。
【０００３】
２−トリクロロシリルノルボルナンの製造方法として、２−ノルボルネンとトリクロロシランのヒドロシリル化反応による製造方法が知られている。例えば、塩化白金酸のイソプロパノール溶液を触媒として用いて、２−ノルボルネンとトリクロロシランのヒドロシリル化反応を行う方法が知られている（非特許文献１：Ｐｅｔｒｏｖ，  Ａ．  Ｄ．  ｅｔ  ａｌ  Ｚｈｕｒｎａｌ  Ｏｂｓｃｈｃｈｅｉ  Ｋｈｉｍｉｉ  （１９６１），  ３１，  １１９９−１２０８．）。また、塩化アリルパラジウム２量体と光学活性なホスフィン化合物の存在下に、２−ノルボルネンとトリクロロシランを反応させ、光学活性な２−トリクロロシリルノルボルナンを製造する方法が知られている（特許文献１：特許第３２７９６２０号公報）。更に、ノルボルネン類とトリクロロシランの反応として、５−ビニルノルボルネンとトリクロロシランを、パラジウム化合物と二級炭化水素基を有するホスフィン化合物の存在下、又は、二級炭化水素基を有するホスフィンを含有するパラジウム錯体を触媒として反応させることにより、５−ビニルノルボルネンの環内の二重結合に選択的にトリクロロシランを付加させて５−ビニルノルボルニルトリクロロシランを製造する方法が知られている（特許文献２：特許第３８５６０９０号公報）。
【０００４】
しかしながら、塩化白金酸のイソプロパノール溶液を触媒として２−ノルボルネンとトリクロロシランを反応させる製造方法では、目的の２−トリクロロシリルノルボルナンの収率が４４．３％と低く、トリクロロシラン１分子に対して２分子のノルボルネンが反応した［３−（２−ノルボルニル）−２−ノルボルニル］トリクロロシランが２０．１％の収率で副生するという問題がある。また、塩化アリルパラジウム２量体を配位子として光学活性なホスフィン化合物の存在下に反応させる方法は、高価な光学活性ホスフィン化合物を使用する必要があり、工業的な製造には適していない。更に、実施例記載の方法では、低温でノルボルネンとトリクロロシランを一括で仕込み反応させる方法で行われており、工業的な実施には適していない。また、上記塩化アリルパラジウム２量体を配位子として光学活性なホスフィン化合物の存在下に２−ノルボルネンとトリクロロシランを反応させる方法を、工業的に実施可能な条件で実施した場合には、目的の２−トリクロロシリルノルボルナンと共にトリクロロシラン１分子に対して２分子のノルボルネンが反応した［３−（２−ノルボルニル）−２−ノルボルニル］トリクロロシランが多く副生するという問題がある。また、パラジウム化合物と二級炭化水素基を有するホスフィン化合物の存在下、又は二級炭化水素基を有するホスフィンを含有するパラジウム錯体存在下に、２−ノルボルネンとトリクロロシランの反応を行った場合には、反応中に触媒が失活してしまい、反応が完結しないという問題点があった。
【０００５】
以上のことから、トリクロロシラン１分子に対して２分子の２−ノルボルネンが反応した［３−（２−ノルボルニル）−２−ノルボルニル］トリクロロシランの副生を抑えて、また、高価な光学活性なホスフィン化合物を用いることなく、工業的な実施が容易な条件で、２−トリクロロシリルノルボルナンを製造する方法を開発することが望まれていた。
【先行技術文献】
【特許文献】
【０００６】
【特許文献１】特許第３２７９６２０号公報
【特許文献２】特許第３８５６０９０号公報
【非特許文献】
【０００７】
【非特許文献１】Ｐｅｔｒｏｖ，  Ａ．  Ｄ．  ｅｔ  ａｌ  Ｚｈｕｒｎａｌ  Ｏｂｓｃｈｃｈｅｉ  Ｋｈｉｍｉｉ  （１９６１），  ３１，  １１９９−１２０８．
【発明の概要】
【発明が解決しようとする課題】
【０００８】
本発明は、上記要望に応えたもので、ホスフィンを含有するパラジウム化合物にホスファイト化合物を添加した触媒を用いて、２−ノルボルネンとトリクロロシランを反応させることにより、［３−（２−ノルボルニル）−２−ノルボルニル］トリクロロシランの副生を抑えて、収率良く２−トリクロロシリルノルボルナンを製造する方法を提供することを目的とする。
【課題を解決するための手段】
【０００９】
本発明者らは、上記目的を達成するために鋭意検討を行った結果、２−ノルボルネンとトリクロロシランを、ホスフィンを含有するパラジウム化合物にホスファイト化合物を添加した触媒を用いて反応させることにより、従来の触媒と比較して、［３−（２−ノルボルニル）−２−ノルボルニル］トリクロロシランが副生することを抑えて、２−トリクロロシリルノルボルナンが選択的に得られることを見出し、本発明に至ったものである。
【００１０】
従って、本発明は、ホスフィンを含有するパラジウム化合物とホスファイト化合物との存在下に、２−ノルボルネンとトリクロロシランとを反応させることを特徴とする２−トリクロロシリルノルボルナンの製造方法を提供する。
この場合、ホスファイト化合物が、下記一般式（１）
Ｐ（ＯＲ1）（ＯＲ2）（ＯＲ3）          （１）
（式中、Ｒ1、Ｒ2、Ｒ3は、同一又は異なる炭素数１〜１０の非置換又は置換一価炭化水素基を示す。）
で表される化合物であることが好ましく、また、ホスフィンが、芳香族基を有するホスフィンであることが好ましい。
【発明の効果】
【００１１】
本発明によれば、ホスフィンを含有するパラジウム化合物にホスファイト化合物を添加した触媒を用いて、２−ノルボルネンとトリクロロシランを反応させることにより、従来の触媒に比較して、副生物の生成を抑えて反応させることができ、高収率で２−トリクロロシリルノルボルナンが得られるものである。
【発明を実施するための形態】
【００１２】
本発明の２−トリクロロシリルノルボルナンの製造方法は、ホスフィンを含有するパラジウム化合物に、ホスファイト化合物を添加した触媒を用いて、２−ノルボルネンとトリクロロシランを反応させることにより、２−トリクロロシリルノルボルナンを製造するものである。
【００１３】
本発明において、２−ノルボルネンとトリクロロシランとを反応させる場合、その配合比は特に限定されないが、反応性、生産性の点から、２−ノルボルネン１モルに対してトリクロロシランを好ましくは０．５〜２．０モル、更に好ましくは０．８〜１．２モル、特に好ましくは０．９〜１．１モル用いる。
【００１４】
本発明のホスフィンを含有するパラジウム化合物としては、下記一般式（２）
Ｐｄ（ＰＲ43）mＸn          （２）
（式中、Ｒ4は、同一又は異なる炭素数１〜１０の非置換又は置換一価炭化水素基であり、Ｘはハロゲン原子であり、ｍは２又は４、ｎは０又は２である。）
で表される化合物が好ましい。
【００１５】
ここで、非置換もしくは置換一価炭化水素基としては、直鎖状、分岐状又は環状の脂肪族一価炭化水素基、特に直鎖状、分岐状又は環境のアルキル基、アリール基、アラルキル基等が挙げられ、具体的には、メチル基、エチル基、プロピル基、ブチル基、ペンチル基、ヘキシル基、フェニル基、ｏ−トリル基、ｍ−トリル基、ｐ−トリル基、ベンジル基、イソプロピル基、イソブチル基、ｓｅｃ−ブチル基、ｔｅｒｔ−ブチル基、ネオペンチル基、２−エチルヘキシル基、シクロペンチル基、シクロヘキシル基、トリメチルシリル基等が挙げられる。また、炭化水素基の水素原子の一部又は全部が置換されていてもよく、該置換基としては、具体的には、例えば、メトキシ基、エトキシ基、（イソ）プロポキシ基等のアルコキシ基；フッ素原子、塩素原子、臭素原子、ヨウ素原子等のハロゲン原子；シアノ基；アミノ基；フェニル基、トリル基等の炭素数６〜１８のアリール基；ベンジル基、フェネチル基等の炭素数７〜１８のアラルキル基；オルガノオキシカルボニル基；カルボキシル基；オルガノオキシ基；アシル基；オルガノチオ基；アルキルシリル基；アルコキシシリル基等が挙げられ、これらを組み合わせて用いることもできる。Ｘとしては、フッ素原子、塩素原子、臭素原子、ヨウ素原子が挙げられる。
【００１６】
上記一般式（２）の化合物としては具体的には、テトラキス（トリフェニルホスフィン）パラジウム、ジクロロビス（トリフェニルホスフィン）パラジウム、ジクロロビス（シクロヘキシルホスフィン）パラジウム等が挙げられる。反応性、触媒の安定性等の点からジクロロビス（トリフェニルホスフィン）パラジウムを用いることが好ましい。
【００１７】
上記のホスフィン化合物を含有するパラジウム化合物は、上記一般式（２）の化合物のようなホスフィンを含有するパラジウム錯体を用いても良く、塩化パラジウムや臭化パラジウム等のホスフィンを含有していないパラジウム化合物とホスフィン化合物を混合して生成させても良い。ホスフィンの使用量はパラジウム化合物１モルに対して好ましくは１〜５モル、更に好ましくは２〜４モルである。
【００１８】
本発明のホスフィンを含有するパラジウム化合物の使用量は特に限定されないが、反応性、生産性の点から、２−ノルボルネンに対して好ましくは０．０００００１〜０．０１モル、更に好ましくは０．０００００５〜０．００５モル、特に好ましくは０．００００１〜０．００１モルである。ホスフィンを含有するパラジウム化合物の使用量が０．０００００１モル未満だと触媒の効果が十分に発現しない可能性があり、０．０１モルを超えると触媒量に見合うだけの反応促進効果が見られない可能性がある。
【００１９】
本発明のホスファイト化合物としては、下記一般式（１）
Ｐ（ＯＲ1）（ＯＲ2）（ＯＲ3）          （１）
（式中、Ｒ1、Ｒ2、Ｒ3は、同一又は異なる炭素数１〜１０の非置換又は置換一価炭化水素基を示す。）
で表される化合物が好ましい。
【００２０】
ここで、非置換もしくは置換一価炭化水素基としては、直鎖状、分岐状又は環状の脂肪族一価炭化水素基、特に直鎖状、分岐状又は環状のアルキル基、アリール基、アラルキル基等が挙げられ、具体的には、メチル基、エチル基、プロピル基、ブチル基、ペンチル基、ヘキシル基、フェニル基、ベンジル基、イソプロピル基、イソブチル基、ｓｅｃ−ブチル基、ｔｅｒｔ−ブチル基、ネオペンチル基、２−エチルヘキシル基、シクロペンチル基、シクロヘキシル基、トリメチルシリル基等が挙げられる。また、炭化水素基の水素原子の一部又は全部が置換されていてもよく、該置換基としては、具体的には、例えば、メトキシ基、エトキシ基、（イソ）プロポキシ基等のアルコキシ基；フッ素原子、塩素原子、臭素原子、ヨウ素原子等のハロゲン原子；シアノ基；アミノ基；フェニル基、トリル基等の炭素数６〜１８のアリール基；ベンジル基、フェネチル基等の炭素数７〜１８のアラルキル基；オルガノオキシカルボニル基；カルボキシル基；オルガノオキシ基；アシル基；オルガノチオ基；アルキルシリル基；アルコキシシリル基等が挙げられ、これらを組み合わせて用いることもできる。
【００２１】
この場合、Ｒ1、Ｒ2、Ｒ3の少なくとも１つは、二級脂肪族炭化水素基又は環状脂肪族炭化水素基であることが好ましく、例えばイソプロピル基、ｓｅｃ−ブチル基、シクロペンチル基、シクロヘキシル基等が挙げられる。
【００２２】
上記式（１）のホスファイト化合物としては、具体的には、トリメチルホスファイト、トリエチルホスファイト、トリプロピルホスファイト、トリブチルホスファイト、トリイソブチルホスファイト、トリペンチルホスファイト、トリヘキシルホスファイト、トリ（２−エチルヘキシル）ホスファイト、トリイソプロピルホスファイト、トリ−ｓｅｃ−ブチルホスファイト、トリ−ｔ−ブチルホスファイト、トリシクロペンチルホスファイト、トリシクロヘキシルホスファイト、トリフェニルホスファイト、トリベンジルホスファイト、トリス（トリメチルシリル）ホスファイト等が挙げられ、反応性、選択性の点から、特にトリイソプロピルホスファイト、トリ−ｓｅｃ−ブチルホスファイト、トリシクロペンチルホスファイト、トリシクロヘキシルホスファイトが好ましい。
【００２３】
本発明のホスファイト化合物の使用量は特に限定されないが、反応性、選択性の点で、用いるパラジウム化合物中のパラジウム１モルに対して、好ましくは１．０〜１０．０モル、更に好ましくは１．５〜８．０モル、特に好ましくは２．０〜６．０モルである。ホスファイト化合物の使用量が、１．０モル未満だと反応の選択性が低下したり、反応が進行しない可能性があり、１０．０モルを超えると反応性が低下する可能性がある。
【００２４】
本発明は無溶媒でも進行するが、溶媒を用いることもできる。用いられる溶媒としては、例えばペンタン、ヘキサン、シクロヘキサン、ヘプタン、オクタン、イソオクタン、ベンゼン、トルエン、キシレンメシチレン等の炭化水素系溶媒、ジエチルエーテル、テトラヒドロフラン、ジオキサン等のエーテル系溶媒、アセトニトリル等の非プロトン性極性溶媒、ジクロロメタン、クロロホルム等の塩素化炭化水素系溶媒等が挙げられる。また、これらの溶媒は単独で使用してもよく、あるいは２種以上を混合して使用してもよい。また、２−ノルボルネンは、融点が４４〜４６℃の常温で固体の化合物であるので、取扱を容易にするために２−ノルボルネンを上記溶媒に溶解した状態で用いることもできる。
【００２５】
本発明の反応は、ホスフィンを含有するパラジウム化合物にホスファイト化合物を添加した触媒と２−ノルボルネン中にトリクロロシランを添加して行っても良く、ホスフィンを含有するパラジウム化合物にホスファイト化合物を添加した触媒とトリクロロシラン中に２−ノルボルネンを添加して行ってもよい。２−ノルボルネンを後から添加する場合、２−ノルボルネンを溶媒に溶解して添加することが好ましい。
【００２６】
本発明の反応温度は特に限定されないが、常圧又は加圧下で０〜２００℃、好ましくは１０〜１２０℃である。なお、反応時間は、通常１〜１００時間、好ましくは２〜２０時間である。また、反応雰囲気としては、特に限定されないが、安全上、窒素、アルゴン、ヘリウム等の不活性ガスが好ましい。
【実施例】
【００２７】
以下、実施例及び比較例により本発明を具体的に説明するが、本発明は下記の実施例に限定されるものではない。
【００２８】
［実施例１］
１，０００ｍＬの４つ口ガラスフラスコに還流冷却器、温度計及び撹拌機を取り付け、内部を窒素置換した。このフラスコに、２−ノルボルネン１８８．４ｇ（２．０ｍｏｌ）をトルエン６２．８ｇに溶解した溶液とジクロロビス（トリフェニルホスフィン）パラジウム１４０．４ｍｇ（０．０００２ｍｏｌ）を仕込み、撹拌溶解した後にトリイソプロピルホスファイト１２４．９ｍｇ（０．０００６ｍｏｌ）を添加した。内温を８０〜９０℃に温調しながらトリクロロシラン２７１．０ｇ（２．０ｍｏｌ）を７．５時間掛けて滴下した後、そのままの温度で１時間熟成した。
得られた反応液をガスクロマトグラフィーにより分析したところ、目的の２−トリクロロシリルノルボルナンと［３−（２−ノルボルニル）−２−ノルボルニル］トリクロロシランの生成比は９９．０：１．０の面積％比であった。また、得られた反応液を減圧蒸留して２−トリクロロシリルノルボルナンを８０℃／１．２ｋＰａの留分として４２１．３ｇ（１．８４ｍｏｌ）得た。収率は、９１．７％であった。
【００２９】
［実施例２］
２００ｍＬの４つ口ガラスフラスコに還流冷却器、温度計及び撹拌機を取り付け、内部を窒素置換した。このフラスコに、２−ノルボルネン４７．１ｇ（０．５ｍｏｌ）をトルエン１５．７ｇに溶解した溶液とジクロロビス（トリフェニルホスフィン）パラジウム３５．１ｍｇ（０．００００５ｍｏｌ）を仕込み、撹拌溶解した後にトリエチルホスファイト１６．６ｍｇ（０．０００１ｍｏｌ）を添加した。内温を８０〜９０℃に温調しながらトリクロロシラン６７．８ｇ（０．５ｍｏｌ）を４．０時間掛けて滴下した後、そのままの温度で１時間熟成した。
得られた反応液をガスクロマトグラフィーにより分析したところ、目的の２−トリクロロシリルノルボルナンと［３−（２−ノルボルニル）−２−ノルボルニル］トリクロロシランの生成比は８４．５：１５．５の面積％比であった。
【００３０】
［比較例１］
２００ｍＬの４つ口ガラスフラスコに還流冷却器、温度計及び撹拌機を取り付け、内部を窒素置換した。このフラスコに、２−ノルボルネン４７．１ｇ（０．５ｍｏｌ）をトルエン１５．７ｇに溶解した溶液とジクロロビス（トリフェニルホスフィン）パラジウム３５．１ｍｇ（０．００００５ｍｏｌ）を仕込んだ。内温を８０〜９０℃に温調しながらトリクロロシラン３．４ｇ（０．０２５ｍｏｌ）を滴下し１時間熟成した。ガスクロマトグラフィーにより分析したところ、反応は全く進行せず、２−ノルボルネンとトリクロロシランが未反応で残留していた。
【００３１】
［比較例２］
２００ｍＬの４つ口ガラスフラスコに還流冷却器、温度計及び撹拌機を取り付け、内部を窒素置換した。このフラスコに、２−ノルボルネン４７．１ｇ（０．５ｍｏｌ）をトルエン１５．７ｇに溶解した溶液と酢酸パラジウム１１．２ｍｇ（０．００００５ｍｏｌ）を仕込み、撹拌溶解した後にトリイソプロピルホスファイト２０．８ｍｇ（０．０００１ｍｏｌ）を添加した。内温を８０〜９０℃に温調しながらトリクロロシラン６７．８ｇ（０．５ｍｏｌ）を４．０時間掛けて滴下した後、そのままの温度で１時間熟成した。
得られた反応液をガスクロマトグラフィーにより分析したところ、目的の２−トリクロロシリルノルボルナンと［３−（２−ノルボルニル）−２−ノルボルニル］トリクロロシランの生成比は１９．７：８０．３の面積％比であった。
【００３２】
［比較例３］
２００ｍＬの４つ口ガラスフラスコに還流冷却器、温度計及び撹拌機を取り付け、内部を窒素置換した。このフラスコに、２−ノルボルネン４７．１ｇ（０．５ｍｏｌ）をトルエン１５．７ｇに溶解した溶液と塩化アリルパラジウム２量体３．７ｍｇ（０．００００２ｍｏｌ）と、（Ｒ）−（＋）−２−ジフェニルホスフィノ−２’−メトキシ−１，１’−ビナフチル１８．７ｍｇ（０．００００８ｍｏｌ）を仕込んだ。内温を８０〜９０℃に温調しながらトリクロロシラン６７．８ｇ（０．５ｍｏｌ）を４．０時間掛けて滴下した後、そのままの温度で１時間熟成した。
得られた反応液をガスクロマトグラフィーにより分析したところ、目的の２−トリクロロシリルノルボルナンと［３−（２−ノルボルニル）−２−ノルボルニル］トリクロロシランの生成比は５２．８：４７．２の面積％比であった。
【００３３】
［比較例４］
２００ｍＬの４つ口ガラスフラスコに還流冷却器、温度計及び撹拌機を取り付け、内部を窒素置換した。このフラスコに、２−ノルボルネン４７．１ｇ（０．５ｍｏｌ）をトルエン１５．７ｇに溶解した溶液とジクロロ（１，５−シクロオクタジエン）パラジウム１４．３ｍｇ（０．００００５ｍｏｌ）と、トリシクロヘキシルホスフィン２８．０ｍｇ（０．０００１ｍｏｌ）を仕込んだ。内温を８０〜９０℃に温調しながらトリクロロシラン６７．８ｇ（０．５ｍｏｌ）を４．０時間掛けて滴下したが、触媒が途中で失活して、未反応の２−ノルボルネンが残留してしまった。